(57)【要約】【課題】見た目を損なうことなく、撮影に十分なカメラ画角を確保することができるディスプレイ装置を提供すること。【解決手段】本発明の一実施形態に係るユーザインタラクションを提供するディスプレイ装置であって、映像表示面を有するディスプレイ本体と、ユーザのジェスチャ検知のためにユーザを撮影するカメラモジュールを含む撮影ユニットとして、非撮影時に前記ディスプレイ本体内に収容される第１位置に配置され、撮影時に前記ディスプレイ本体の外に突出される第２位置に配置される撮影ユニットと、を含み、カメラモジュールは、撮影ユニットが第１位置にある時より第２位置にある時、映像表示面により近く配置されることを特徴とする。【選択図】図１
2014165917.tif 000002
【特許請求の範囲】
【請求項１】
ユーザインタラクションを提供するディスプレイ装置において、
映像表示面を有するディスプレイ本体と、
ユーザのジェスチャ検知のためにユーザを撮影するカメラモジュールを含む撮影ユニットとして、非撮影時に前記ディスプレイ本体内に収容される第１位置に配置され、撮影時に前記ディスプレイ本体の外に突出される第２位置に配置される撮影ユニットと、
を含み、
前記カメラモジュールは、前記撮影ユニットが前記第１位置にある時より前記第２位置にある時、前記映像表示面により近く配置されることを特徴とするディスプレイ装置。
【請求項２】
前記撮影ユニットは、円形軌跡に沿うスライディングによって前記第１位置から前記第２位置に、または、前記第２位置から前記第１位置に移動することを特徴とする請求項１に記載のディスプレイ装置。
【請求項３】
前記円形軌跡に対応する形状を有し、相互一定の距離離隔された一対のスライドガイド溝を有する撮影ユニットケーシングと、
前記撮影ユニットと結合され、前記一対のスライドガイド溝に挿入される一対のスライディングリブを有するスライダと、
を含み、
前記スライダは、前記撮影ユニットが前記第１位置から前記第２位置に移動するとき、前記一対のスライドガイド溝に沿って正方向にスライディングされ、前記撮影ユニットが前記第２位置から前記第１位置に移動するとき、前記一対のスライドガイド溝に沿って逆方向にスライディングされることを特徴とする請求項２に記載のディスプレイ装置。
【請求項４】
前記第１位置に配置された前記撮影ユニットをロッキングさせるためのロッキングユニットを更に含むことを特徴とする請求項３に記載のディスプレイ装置。
【請求項５】
前記ロッキングユニットは、
前記撮影ユニットケーシング内に備えられ、ロッキング溝が形成されたロッキングガイドパスと、
前記ロッキングガイドパスに沿ってスライディングされ、前記スライダに装着されたラッチユニットと、
を含み、
前記ラッチユニットは、前記撮影ユニットが前記第１位置に配置されるとき、前記ロッキングガイドパスの前記ロッキング溝に挿入されて前記撮影ユニットをロッキングさせることを特徴とする請求項４に記載のディスプレイ装置。
【請求項６】
前記ラッチユニットの一端部は前記スライダに固定され、前記ラッチユニットの他端部は前記ラッチユニットに対して移動できるように、前記ロッキングガイドパスに挿入されることを特徴とする請求項５に記載のディスプレイ装置。
【請求項７】
前記ラッチユニットは、
前記スライダに装着されるラッチ本体と、
前記ラッチ本体に対して移動できるように前記ラッチ本体に装着されるラッチレバーと、
前記ラッチレバーから突出され、スライディングできるように前記ロッキングガイドパスに挿入されるラッチ突起と、
を含むことを特徴とする請求項６に記載のディスプレイ装置。
【請求項８】
前記ロッキングガイドパスは、ループ構造を有し、
前記ラッチユニットは、前記ロッキングガイドパスに沿って一方向にスライディングすることを特徴とする請求項７に記載のディスプレイ装置。
【請求項９】
前記ロッキングガイドパスは、
前記撮影ユニットケーシングの内面に形成される第１ガイドパスと、
前記第１ガイドパスから伸長され、前記撮影ユニットが前記第２位置から前記第１位置に移動するとき、前記ラッチ突起のスライディングをガイドする第２ガイドパスと、
前記第２ガイドパスから伸長され、前記ロッキング溝が備えられる第３ガイドパスと、
前記第３ガイドパスから伸長され、前記第１ガイドパスと連結され、前記撮影ユニットが前記第１位置から前記第２位置に移動するとき、前記ラッチ突起のスライディングをガイドする第４ガイドパスと、
を含み、
前記第１ガイドパス、前記第２ガイドパス、前記第３ガイドパス及び前記第４ガイドパスはループ構造からなることを特徴とする請求項８に記載のディスプレイ装置。
【請求項１０】
前記第３ガイドパスは、
前記第２ガイドパスと隣接し、前記第２ガイドパスより低い高さを有する第１段差部と、
前記第１段差部と隣接し、前記第１段差部より低い高さを有する第２段差部と、
を含み、
前記第２段差部の側壁には前記ロッキング溝が形成されることを特徴とする請求項９に記載のディスプレイ装置。
【請求項１１】
前記第４ガイドパスは、前記第３ガイドパスより低く段差がつき、前記第１ガイドパスより高く段差がつくことを特徴とする請求項９に記載のディスプレイ装置。
【請求項１２】
前記ラッチユニットが前記ロッキング溝から外れると、前記スライダが前記正方向にスライディングできるように前記スライダに駆動力を提供する弾性部材を更に含み、
前記弾性部材の一端は前記撮影ユニットケーシングに固定され、前記弾性部材の他端は前記スライダに支持されることを特徴とする請求項５に記載のディスプレイ装置。
【請求項１３】
前記撮影ユニットは、前記カメラモジュールのティルト調節のために、前記第２位置及び前記第２位置より前記映像表示面により近くに配置される第３位置の間で移動でき、
前記弾性部材の他端は、前記撮影ユニットが前記第２位置及び前記第３位置の間で移動するとき、前記スライダから離隔されることを特徴とする請求項１２に記載のディスプレイ装置。
【請求項１４】
前記撮影ユニットケーシングには、前記第２位置及び前記第３位置の間で前記スライダの前記一対のスライディングリブを加圧する一対の弾性加圧部材が装着され、
前記一対の弾性加圧部材は、前記一対のスライドガイド溝を貫通して前記一対のスライディングリブと接触することを特徴とする請求項１３に記載のディスプレイ装置。
【請求項１５】
前記撮影ユニットケーシングに備えられ、前記スライダのスライディング速度を調節するためのダンピング部材を更に含むことを特徴とする請求項３に記載のディスプレイ装置。
【発明の詳細な説明】
【技術分野】
【０００１】
本発明は、ディスプレイ装置に関し、より詳細には、ユーザインタラクションが可能なディスプレイ装置に関する。
【背景技術】
【０００２】
最近、スマートインタラクティブ機能の拡大によって、ユーザインタラクションが可能なディスプレイ装置が続々登場している。このようなディスプレイ装置には、ユーザの動作を検知する撮影ユニットやユーザの音声を検知する音声検知ユニット等が必須として装着され、検知されたユーザの動作または音声に応じて、ディスプレイ装置の動作が制御されてよい。
【０００３】
従来は、ユーザインタラクションのための撮影ユニットや音声検知ユニットがディスプレイ装置の上端に固定されるのが一般的だった。このような場合、撮影ユニットや音声検知ユニットによってディスプレイ装置の上端部が突出された形を有するため、見た目を損なってしまうという問題があった。また、常に見られるように配置された撮影ユニットや音声検知ユニットによってユーザは監視されるような不快感を感じるおそれもある。
【０００４】
このような短所を解消するために、撮影ユニット及び音声検知ユニットを上下にスライディングできるようにディスプレイ装置に装着することで、撮影ユニット及び音声検知ユニットが使用時にのみ見られ、非使用時にはディスプレイ装置の内部に収容される例があった。
【０００５】
撮影ユニットを例として説明すると、撮影時には撮影ユニットがディスプレイ装置から上方に突出し、非撮影時には突出された撮影ユニットが下方にスライディングされて、ディスプレイ装置内に収容されて見えなくなる。
【０００６】
このように、上下にスライディングする形の撮影ユニットは、撮影時にディスプレイ装置の上端から一定の高さ以上に上昇されなければ、十分なカメラ画角を確保することができない。しかし、撮影ユニットの上昇高さが大きいほど、ディスプレイ装置の見た目が悪くなるということが考慮されなければならない。
【先行技術文献】
【特許文献】
【０００７】
【特許文献１】特許第３３９５７７６号公報
【特許文献２】米国特許出願公開第２０１０−００２６８１７号明細書
【特許文献３】韓国特許出願公開第２０１２−００４６０４０号明細書
【特許文献４】特開２００３−０２７４４７５号公報
【発明の概要】
【発明が解決しようとする課題】
【０００８】
そこで、本発明は、上記問題に鑑みてなされたものであり、本発明の目的とするところは、見た目を損なうことなく、撮影に十分なカメラ画角を確保することができるディスプレイ装置を提供することにある。
【課題を解決するための手段】
【０００９】
前記目的を達成するために、本発明は、ユーザインタラクションを提供するディスプレイ装置であって、映像表示面を有するディスプレイ本体と、ユーザのジェスチャ検知のためにユーザを撮影するカメラモジュールを含む撮影ユニットとして、非撮影時に前記ディスプレイ本体内に収容される第１位置に配置され、撮影時に前記ディスプレイ本体の外に突出される第２位置に配置される撮影ユニットと、を含み、前記カメラモジュールは、前記撮影ユニットが前記第１位置にある時より前記第２位置にある時、前記映像表示面により近く配置されることを特徴とするディスプレイ装置を提供する。
【００１０】
前記撮影ユニットは、円形軌跡に沿うスライディングによって前記第１位置から前記第２位置に、または、前記第２位置から前記第１位置に移動してよい。
【００１１】
前記ディスプレイ装置は、前記円形軌跡に対応する形状を有し、相互一定の距離離隔された一対のスライドガイド溝を有する撮影ユニットケーシングと、前記撮影ユニットと結合され、前記一対のスライドガイド溝に挿入される一対のスライディングリブを有するスライダと、を含み、前記スライダは、前記撮影ユニットが前記第１位置から前記第２位置に移動するとき、前記一対のスライドガイド溝に沿って正方向にスライディングされ、前記撮影ユニットが前記第２位置から前記第１位置に移動するとき、前記一対のスライドガイド溝に沿って逆方向にスライディングされてよい。
【００１２】
前記ディスプレイ装置は、前記第１位置に配置された前記撮影ユニットをロッキングさせるためのロッキングユニットを更に含んでよい。
【００１３】
前記ロッキングユニットは、前記撮影ユニットケーシング内に備えられ、ロッキング溝が形成されたロッキングガイドパスと、前記ロッキングガイドパスに沿ってスライディングされ、前記スライダに装着されたラッチユニットと、を含み、前記ラッチユニットは、前記撮影ユニットが前記第１位置に配置されるとき、前記ロッキングガイドパスの前記ロッキング溝に挿入されて前記撮影ユニットをロッキングさせてよい。
【００１４】
前記ラッチユニットの一端部は前記スライダに固定され、前記ラッチユニットの他端部は前記ラッチユニットに対して移動できるように、前記ロッキングガイドパスに挿入されてよい。
【００１５】
前記ラッチユニットは、前記スライダに装着されるラッチ本体と、前記ラッチ本体に対して移動できるように前記ラッチ本体に装着されるラッチレバーと、前記ラッチレバーから突出され、スライディングできるように前記ロッキングガイドパスに挿入されるラッチ突起と、を含んでよい。
【００１６】
前記ロッキングガイドパスは、ループ構造を有し、前記ラッチユニットは、前記ロッキングガイドパスに沿って一方向にスライディングしてよい。
【００１７】
前記ロッキングガイドパスは、前記撮影ユニットケーシングの内面に形成される第１ガイドパスと、前記第１ガイドパスから伸長され、前記撮影ユニットが前記第２位置から前記第１位置に移動するとき、前記ラッチ突起のスライディングをガイドする第２ガイドパスと、前記第２ガイドパスから伸長され、前記ロッキング溝が備えられる第３ガイドパスと、前記第３ガイドパスから伸長され、前記第１ガイドパスと連結され、前記撮影ユニットが前記第１位置から前記第２位置に移動するとき、前記ラッチ突起のスライディングをガイドする第４ガイドパスと、を含み、前記第１ガイドパス、前記第２ガイドパス、前記第３ガイドパス及び前記第４ガイドパスはループ構造からなってよい。
【００１８】
前記第３ガイドパスは、前記第２ガイドパスと隣接し、前記第２ガイドパスより低い高さを有する第１段差部と、前記第１段差部と隣接し、前記第１段差部より低い高さを有する第２段差部と、を含み、前記第２段差部の側壁には前記ロッキング溝が形成されてよい。
【００１９】
前記第４ガイドパスは、前記第３ガイドパスより低く段差がつき、前記第１ガイドパスより高く段差がついてよい。
【００２０】
前記ディスプレイ装置は、前記ラッチユニットが前記ロッキング溝から外れると、前記スライダが前記正方向にスライディングできるように前記スライダに駆動力を提供する弾性部材を更に含み、前記弾性部材の一端は前記撮影ユニットケーシングに固定され、前記弾性部材の他端は前記スライダに支持されてよい。
【００２１】
前記弾性部材は、トーションバースプリングであってよい。
【００２２】
前記撮影ユニットは、前記カメラモジュールのティルト調節のために、前記第２位置及び前記第２位置より前記映像表示面により近くに配置される第３位置の間で移動でき、前記弾性部材の他端は、前記撮影ユニットが前記第２位置及び前記第３位置の間で移動するとき、前記スライダから離隔されてよい。
【００２３】
前記撮影ユニットケーシングには、前記第２位置及び前記第３位置の間で前記スライダの前記一対のスライディングリブを加圧する一対の弾性加圧部材が装着され、前記一対の弾性加圧部材は、前記一対のスライドガイド溝を貫通して前記一対のスライディングリブと接触してよい。
【００２４】
前記ディスプレイ装置は、前記撮影ユニットケーシングに備えられ、前記スライダのスライディング速度を調節するためのダンピング部材を更に含んでよい。
【００２５】
前記ダンピング部材は回転ダンパーで備えられ、前記スライダには、前記ダンピング部材が回転できるように前記ダンピング部材にかみ合うダンパーレールが備えられてよい。
【００２６】
前記ディスプレイ装置は、前記ディスプレイ本体の内部に装着され、前記ユーザの音声を検知するための少なくとも１つの音声検知ユニットを更に含んでよい。
【００２７】
前記撮影ユニットは、アルミニウム材質で形成されてよい。
【００２８】
前記ディスプレイ装置は、テレビであってよい。
【発明の効果】
【００２９】
以上説明したように、本発明によれば、ユーザインタラクションができるディスプレイ装置で見た目を損なうことなく、撮影に十分なカメラ画角を確保することができるディスプレイ装置を提供することができる。
【図面の簡単な説明】
【００３０】
【図１】本発明の一実施形態に係るディスプレイ装置を示す斜視図として、非撮影時の様子を示す図である。
【図２】図１のＩ領域を拡大図示する斜視図である。
【図３】撮影時の図１のディスプレイ装置を示す斜視図である。
【図４】図３のＩ領域を拡大図示する斜視図である。
【図５】図１のディスプレイ装置のトップケーシングを分解した分解斜視図である。
【図６】図１のディスプレイ装置の撮影ユニット及び撮影ユニットケーシングを分解した分解斜視図である。
【図７】撮影ユニットが第１位置に配置されるときの様子を示す斜視図である。
【図８】撮影ユニットが第１位置に配置されるときの様子を示す側断面図である。
【図９】撮影ユニットが第２位置に配置されるときの様子を示す斜視図である。
【図１０】撮影ユニットが第２位置に配置されるときの様子を示す側断面図である。
【図１１】本発明のロッキングユニットの動作を説明するための図である。
【図１２】撮影ユニットが第３位置に配置されるときの様子を示す側断面図である。
【図１３】撮影ユニットが第３位置に配置されるときの様子を示す部分斜視図である。
【図１４】図１３の主要部の様子を示す断面図である。
【発明を実施するための形態】
【００３１】
以下、添付の図を参照して本発明に係る実施形態について詳細に説明する。以下で説明される実施形態は、発明の理解を促すために例示的に示すものであり、本発明は、ここで説明される実施形態と異なるように多様に変形されて実施可能であることを理解すべきである。なお、添付の図は、発明の理解を促すために、実際の寸法で示されたものではなく、一部の構成要素のみを拡大して示すことがある。
【００３２】
図１は、本発明の一実施形態に係るディスプレイ装置を示す斜視図として、非撮影時の様子を示す図であり、図２は、図１のＩ領域を拡大図示する斜視図であり、図３は、撮影時の図１のディスプレイ装置を示す斜視図であり、図４は、図３のＩ領域を拡大図示する斜視図であり、図５は、図１のディスプレイ装置のトップケーシングを分解した分解斜視図であり、図６は、図１のディスプレイ装置の撮影ユニット及び撮影ユニットケーシングを分解した分解斜視図である。
【００３３】
ディスプレイ装置１００は、ユーザインタラクションを通じて多様なユーザのジェスチャや音声等を検知し、検知されたジェスチャまたは音声に基づいて多様な制御動作を行うことができる。制御動作は、例えば、チャネルの変更、音量アップやダウン、アプリケーションの実行等であってよい。
【００３４】
ディスプレイ装置１００は平板ディスプレイとして、ＬＣＤテレビ、ＬＥＤテレビやＯＬＥＤテレビであってよい。その他にも、ディスプレイ装置１００は、別の方式の平板ディスプレイであってよく、平板ディスプレイではない曲面ディスプレイまたはフレキシブルディスプレイであってよい。なお、ディスプレイ装置は、テレビではないコンピュータモニタであってよい。
【００３５】
このようなディスプレイ装置１００は、ディスプレイ本体２００、音声検知ユニット３００及び撮影ユニット５００を含む。
【００３６】
ディスプレイ本体２００は、メインケーシング２２０、ディスプレイパネル（図示せず）、制御ボード（図示せず）、パワーボード（図示せず）及びサブケーシング２６０を含む。
【００３７】
メインケーシング２２０は、ディスプレイパネル（図示せず）、制御ボード（図示せず）及びパワーボード（図示せず）等、ディスプレイ装置１００の各種部品を収容する。
【００３８】
ディスプレイパネルは、映像を表示する部品として、映像が表示される映像表示面２５０を有する。ユーザは、映像表示面２５０を介してディスプレイ装置１００が提供する多様なコンテンツを視聴することができる。
【００３９】
制御ボードは、ディスプレイ装置１００の動作を制御するためのものとして、ユーザインタラクションを通じて得られる制御命令に応じて、ディスプレイ装置１００の動作を制御することもできる。そして、パワーボードは、ディスプレイ装置１００に電圧を供給するためのものである。
【００４０】
サブケーシング２６０は、上述のメインケーシング２２０の上面に装着され、音声検知ユニット３００及び撮影ユニット５００を収容する。本実施形態においては、サブケーシング２６０がメインケーシング２２０の上面に別途に装着されるが、サブケーシング２６０がメインケーシング２２０と一体として形成されることも可能である。
【００４１】
図５を参照すると、サブケーシング２６０は、前面ケーシング２６２及び背面ケーシング２６６を含む。
【００４２】
前面ケーシング２６２は、ディスプレイ装置１００（図１を参照）の前方（＋Ｘ方向）に斜めになるように配置される。前面ケーシング２６２には、ユーザの音声が音声検知ユニット３００に伝達されるようにガイドする音声検知ユニットホール２６４が形成される。音声検知ユニットホール２６４は後述の４つの音声検知ユニット３００に対応するように４つが備えられる。そして、前面ケーシング２６２には、撮影ユニット５００がディスプレイ装置１００の外に突出されるように、前面開口２６８が更に形成される。
【００４３】
一方、前面ケーシング２６２には、前面にジャージ（ｊｅｒｓｅｙ）ケーシング（図示せず）が装着されてよい。ジャージケーシングは、前面開口２６８を除く前面ケーシング２６２の前面をカバーする。ディスプレイ装置１００は、ジャージケーシングを通じて外観の高級化を図ることができる。
【００４４】
背面ケーシング２６６は、前面ケーシング２６２と結合され、サブケーシング２６０の上面、側面及び背面を形成する。前面ケーシング２６２と背面ケーシング２６６との間の空間には、音声検知ユニット３００、撮影ユニット５００等、ディスプレイ装置１００のユーザインタラクションのための各種部品が収容される。
【００４５】
音声検知ユニット３００は、ユーザの音声を検知するための構成要素である。音声検知ユニット３００は、サブケーシング２６０内に撮影ユニット５００と別途に装着され、サブケーシング２６０の外部に露出されない。音声検知ユニット３００はマイクで具備されてよく、本実施形態では４つのマイクが具備される。
【００４６】
そのために、ディスプレイ装置１００は、音声検知ユニットケーシング４００を更に含む。
【００４７】
図５を参照すると、音声検知ユニットケーシング４００は、前面ケーシング２６２及び撮影ユニット５００の間に配置される。音声検知ユニットケーシング４００には、音声検知ユニットケーシング４００に装着される音声検知ユニット装着ホール４２０が備えられる。音声検知ユニット装着ホール４２０は、４つのマイクにそれぞれ対応するように４つが備えられる。
【００４８】
本実施形態に係るディスプレイ装置１００は、音声検知ユニット３００が撮影ユニット５００と一体型で備えられずに、別途に備えられるため、撮影ユニット５００に音声検知ユニット３００のための更なる空間を設ける必要がない。そのため、本実施形態に係るディスプレイ装置１００は、外部に露出される撮影ユニット５００の体積を小さくすることができる。
【００４９】
そして、音声検知ユニットケーシング４００には、ディスプレイ装置１００の外に突出される前面突出部４５０が備えられる。前面突出部４５０は、前面ケーシング２６２の前面開口２６８を貫通してディスプレイ装置１００の外に突出される。
【００５０】
前面突出部４５０には、撮影ユニット貫通ホール４６０及び遠隔制御装置受信部４７０が備えられる。撮影ユニット５００は、ユーザ撮影時、撮影ユニット貫通ホール４６０を通過し、ディスプレイ装置１００の外に突出される。遠隔制御装置受信部４７０は、リモコン等の遠隔制御装置（図示せず）の信号を受信するためのものである。遠隔制御装置受信部４７０は、音声検知ユニットケーシング４００内に備えられた遠隔制御装置用のＰＣＢ基板（図示せず）と接続される。本実施形態においては、遠隔制御装置受信部４７０が音声検知ユニットケーシング４００に具備されるが、それは例示的なものであるだけで、遠隔制御装置の信号を受信することができれば、ディスプレイ装置の別の部分に備えられることも可能である。
【００５１】
撮影ユニット５００は、ユーザのジェスチャ検知のためのものとして、スライディングできるようにサブケーシング２６０に装着される。図２、図４及び図５を参照すると、撮影ユニット５００はカメラモジュール５２０を含む。
【００５２】
カメラモジュール５２０は、撮影ユニット５００内に備えられ、ユーザのジェスチャを検知するための構成要素である。撮影ユニット５００は、このようなカメラモジュール５２０を内蔵することで、ユーザのジェスチャを検知することができる。カメラモジュール５２０は、映像の光を集める少なくとも１つのレンズ（図示せず）、映像を電気的信号に変換するイメージセンサ（図示せず）及びレンズを動かしてフォーカスを調節するアクチュエータ（図示せず）等を含む。
【００５３】
そして、撮影ユニット５００には、カメラモジュール５２０の前方にレンズ保護ウィンドウ５４０が備えられる。ユーザ撮影時、レンズ保護ウィンドウ５４０は、ディスプレイ装置１００の外部に露出される。レンズ保護ウィンドウ５４０の隣接する面には、非撮影時にディスプレイ装置１００の外部に露出される撮影ユニットプッシュ面５６０が形成される。
【００５４】
一方、撮影ユニット５００は、カメラモジュール５２０で発生する熱を放熱するために、アルミニウム材質からなってよい。撮影ユニット５００は、アルミニウム以外に撮影ユニット５２０の放熱のためのその他の別の材質で構成されることも可能である。
【００５５】
このような撮影ユニット５００は、非撮影時にサブケーシング２６０の内部に収容され、ユーザ撮影時にスライディングの動きを通じて撮影ユニット貫通ホール４６０を通過し、ディスプレイ装置１００の外に突出される。
【００５６】
図２に示すように、非撮影時に撮影ユニット５００はサブケーシング２６０の内部に収容される第１位置に配置される。このとき、カメラモジュール５２０は、ディスプレイ装置１００の上方（＋Ｚ方向）を向くように配置される。それを通じて、非撮影時に撮影ユニット５００は、ディスプレイ装置１００の前面から眺めた時に、撮影ユニットプッシュ面５６０のみが露出されるように保管されてよい。よって、撮影ユニット５００によって感じることがあるユーザの不都合を解消することができる。なお、非撮影時にディスプレイ装置１００の見た目を綺麗にすることができ、製品の高品格のイメージを図ることができる。
【００５７】
図４に示すように、ユーザ撮影時に撮影ユニット５００は、サブケーシング２６０の外に突出される第２位置に配置される。このとき、カメラモジュール５２０は、ディスプレイ装置１００の前方（＋Ｘ方向）を向くように配置される。上述の第１位置（撮影ユニット５００がサブケーシング２６０の内部に収容される位置）と比較すると、カメラモジュール５２０は、第１位置にある時より第２位置にある時、映像表示面２５０により近く配置される。よって、撮影時に撮影ユニット５００は、より大きいカメラ画角を確保するために、ディスプレイ装置１００の上方（＋Ｚ方向）に更に突出される必要がない。よって、ディスプレイ装置１００は、ディスプレイ装置１００の見た目を損なうことなく、撮影するのに十分なカメラ画角を確保することができる。
【００５８】
続いて、ディスプレイ装置１００は、ＰＣＢ基板ケーシング６００及びＰＣＢ基板（図示せず）を更に含む。
【００５９】
図５を参照すると、ＰＣＢ基板ケーシング６００はＰＣＢ基板を収容する。ＰＣＢ基板ケーシング６００は、接続ケーブル（図示せず）を通じて音声検知ユニット３００及び撮影ユニット５００と連結される。それを通じて、ＰＣＢ基板ケーシング６００は、音声検知ユニット３００及び撮影ユニット５００をそれぞれＰＣＢ基板と電気的に接続させる。
【００６０】
ＰＣＢ基板は、音声検知ユニット３００の検知したユーザの音声情報及び撮影ユニット５００によって検知されたユーザのジェスチャ情報に基づいて、ユーザインタラクションを判断する。ＰＣＢ基板は、ディスプレイ装置１００の制御ボードにユーザインタラクションに関する情報を送信し、ディスプレイ装置１００の制御ボードは、ユーザインタラクションに関する情報に基づいてディスプレイ装置１００を制御する。
【００６１】
一方、ＰＣＢ基板は、音声検知ユニット３００の検知したユーザの音声情報及び撮影ユニット５００によって検知されたユーザのジェスチャ情報に基づいてユーザインタラクションを判断せずに、音声検知ユニット３００の検知したユーザの音声情報及び撮影ユニット５００によって検知されたユーザのジェスチャ情報を直ちにディスプレイ装置の制御ボードに送信することもできる。この場合、ディスプレイ装置１００の制御ボードは、受信した音声検知ユニット３００の検知したユーザの音声情報及び撮影ユニット５００によって検知されたユーザのジェスチャ情報に基づいてユーザインタラクションを判断した後、それによってディスプレイ装置１００を制御することもできる。
【００６２】
以下では、撮影ユニット５００の第１位置（撮影ユニット５００がサブケーシング２６０の内部に収容される位置）及び第２位置（撮影ユニット５００がサブケーシング２６０の外に突出される位置）との間のスライディングのための部品について、より具体的に説明する。
【００６３】
図５及び図６を参照すると、撮影ユニット５００が円形軌跡に沿うスライディングによって上述の第１位置から第２位置、または、第２位置から第１位置に移動することができるように、ディスプレイ装置１００は、撮影ユニットケーシング７００、スライダ８００、ロッキングユニット９００、弾性部材１２００及びダンピング部材１３００を更に含む。
【００６４】
撮影ユニットケーシング７００は、撮影ユニット５００及びスライダ８００を収容する。撮影ユニットケーシング７００には、内側面の両側に相互一定距離が離隔される一対のスライドガイド溝７２０が形成される。一対のスライドガイド溝７２０は、互いに対向するように配置され、円形軌跡に対応する形状を有する。
【００６５】
スライダ８００は、撮影ユニット５００と結合される。スライダ８００の両側には、一対のスライドガイド溝７２０に挿入される一対のスライディングリブ８２０が形成される。スライダ８００は、撮影ユニット５００が第１位置から第２位置に移動するとき、一対のスライディングリブ８２０を通じて一対のスライドガイド溝７２０に沿って正方向（Ａ側からＢ側方向）に円形軌跡を描きつつスライディングされる。逆に、スライダ８００は、撮影ユニット５００が第２位置から第１位置に移動する際、一対のスライディングリブ８２０を通じて、一対のスライドガイド溝７２０に沿って正方向（Ａ側からＢ側方向）とは逆の方向である逆方向（Ｂ側からＡ側方向）に円形軌跡を描きつつスライディングされる。
【００６６】
そして、スライダ８００には、スライディングリブ８２０と垂直の方向に突出されたスイッチングリブ８４０が更に形成される。スイッチングリブ８４０は、撮影ユニット５００が第１位置から第２位置に移動する際、スライダ８００の正方向移動によって撮影ユニットケーシング７００のスイッチング開口７６０を通じてＰＣＢ基板ケーシング６００（図６を参照）に備えられた検知スイッチ（図示せず）と接触される。それを通じて、ＰＣＢ基板（図示せず）は、ユーザジェスチャ検知及びユーザ音声検知のためのユーザ認識モードが実行される。そして、スイッチングリブ８４０は、撮影ユニット５００が第２位置から第１位置に移動する際、スライダ８００の逆方向移動によって検知スイッチとの接触が解除される。それを通じて、ＰＣＢ基板は、ユーザ認識モードの実行が解除される。
【００６７】
なお、スイッチングリブ８４０は、スライダ８００がスライディングする際、スライダ８００の円滑なスライディングをガイドすることができる。スイッチングリブ８４０は、弾性部材１２００の反対側に備えられるスライディングリブ８２０に備えられるため、弾性部材１２００が圧縮される際、または、圧縮が解除される際、弾性部材１２００側に備えられたスライディングリブ８２０の揺れを補償し、一対のスライディングリブ７２０の円滑なスライディングをガイドするようになる。
【００６８】
ロッキングユニット９００は、第１位置に配置された撮影ユニット５００をサブケーシング２２０内にロッキングさせるための構成要素である。ロッキングユニット９００は、撮影ユニット５００が第２位置に配置される際にはロッキングが解除される。
【００６９】
このようなロッキングユニット９００は、ラッチユニット１０００及びロッキングガイドパス１１００を含む。
【００７０】
ラッチユニット１０００は、スライダ８００に装着される。よって、ラッチユニット１０００は、スライダ８００を介して撮影ユニット５００に接続される。ラッチユニット１０００は、ロッキングガイドパス１１００に備えられたロッキング溝１１２０に挿入され、ロッキング溝１１２０から外れることで、撮影ユニット５００のロッキング及びアンロッキングを行う。
【００７１】
このようなラッチユニット１０００は、ラッチ本体１０２０、ラッチレバー１０４０、ヒンジピン１０６０及びラッチ突起１０８０を含む。
【００７２】
ラッチ本体１０２０は、スライダ８００に装着され、ラッチレバー１０４０と連結される。具体的に、ラッチ本体１０２０の一端部１０２２は、スライダ８００に固定され、ラッチ本体１０２０の他端部１０２６はラッチレバー１０４０と結合される。
【００７３】
ラッチレバー１０４０は、ラッチ本体１０２０の他端部１０２６の下面に接触される。ヒンジピン１０６０は、ラッチ本体１０２０の他端部１０２６及びラッチレバー１０４０を貫通し、ラッチ本体１０２０の他端部１０２６及びラッチレバー１０４０をヒンジ連結する。ラッチレバー１０４０は、ヒンジピン１０６０を介してラッチ本体１０２０の他端部１０２６の水平方向に動かすことができる。
【００７４】
ラッチ突起１０８０は、ラッチレバー１０４０から垂直方向に下方に突出される。ラッチ突起１０８０は、ロッキングガイドパス１１００に挿入され、スライダ８００が移動する際、ロッキングガイドパス１１００に沿ってスライディングされる。
【００７５】
ロッキングガイドパス１１００は、撮影ユニットケーシング７００の内面に形成される。ロッキングガイドパス１１００は、ラッチ突起１０８０のスライディングをガイドする。以下、ロッキングガイドパス１１００の構造については、図１１を参照して詳細に説明する。
【００７６】
図１１を参照すると、ロッキングガイドパス１１００は、第１ガイドパス１１４０、第２ガイドパス１１５０、第３ガイドパス１１６０及び第４ガイドパス１１７０を含む。
【００７７】
第１ガイドパス１１４０は直線経路で形成される。第２ガイドパス１１５０は曲線経路で形成され、第１ガイドパス１１４０の下部１１４２から左側下方に伸長される。
【００７８】
第３ガイドパス１１６０は第２ガイドパス１１５０から伸長され、側壁にロッキング溝１１２０が形成される。第３ガイドパス１１６０は、第１段差部１１６２及び第２段差部１１６６を含む。
【００７９】
第１段差部１１６２は第２ガイドパス１１５０と隣接し、隣接する第２ガイドパス１１５２より低い高さを有する。第２段差部１１６６は、第１段差部１１６２と隣接し、隣接する第１段差部１１６２より低い高さを有する。そして、第２段差部１１６６の側壁には、上述のロッキング溝１１２０が形成される。
【００８０】
第４ガイドパス１１７０は曲線経路で形成され、第２段差部１１６６から右側上方に伸長され、第１ガイドパス１１４０の下部１１４２と繋がる。それを通じて、第１ガイドパス１１４０、第２ガイドパス１１５０、第３ガイドパス１１６０及び第４ガイドパス１１７０はループ構造を形成する。
【００８１】
一方、第４ガイドパス１１７０の下部１１７２は隣接する第２段差部１１６６より低い高さを有し、第４ガイドパス１１７０の上部１１７６は隣接する第１ガイドパス１１４０の下部１１４２より高い高さを有する。
【００８２】
再び図６を参照すると、弾性部材１２００はラッチユニット１０００のラッチ突起１０８０がロッキングガイドパス１１００のロッキング溝１１２０から外れると、スライダ８００が正方向（Ａ側からＢ側方向）にスライディングされるように前記スライダ８００に駆動力を提供するための構成要素である。
【００８３】
弾性部材１２００の一端１２２０は、撮影ユニットケーシング７００に備えられた弾性部材固定部７８０に固定され、弾性部材１２００の他端１２６０はスライダ８００に具備された弾性部材支持部８６０に支持される。弾性部材１２００は、スプリングで備えられてよく、本実施形態ではトーションバースプリング（ｔｏｒｓｉｏｎ  ｂａｒ  ｓｐｒｉｎｇ）で具備される。
【００８４】
ダンピング部材１３００は、スライダ８００のスライディング速度を調節するための構成要素である。ダンピング部材１３００は、撮影ユニットケーシング７００に装着され、回転ダンパーで具備される。ダンピング部材１３００は、スライダ８００に具備されたダンパーレール８８０にかみ合うように装着される。ダンピング部材１３００は、撮影ユニットケーシング７００に１つが装着されるため、ダンパーレール８８０もスライダ８００に１つが備えられる。
【００８５】
ダンピング部材１３００は、スライダ８００の正方向（Ａ側からＢ側方向）または逆方向（Ｂ側からＡ側方向）にスライディング時に、ダンパーレール８８０に沿って回転されることで、スライダ８００のスライディング速度を調節するようになる。
【００８６】
以下では、本発明の撮影ユニット５００の第１位置及び第２位置の間における動作について具体的に説明する。
【００８７】
図７は、撮影ユニットが第１位置に配置されるときの様子を示す斜視図であり、図８は、撮影ユニットが第１位置に配置されるときの様子を示す側断面図であり、図９は、撮影ユニットが第２位置に配置されるときの様子を示す斜視図であり、図１０は、撮影ユニットが第２位置に配置されるときの様子を示す側断面図であり、図１１は、本発明のロッキングユニットの動作を説明するための図である。
【００８８】
図７を参照すると、撮影ユニット５００が第１位置（撮影ユニット５００がサブケーシング２６０の内部に収容される位置）に配置される際、ラッチユニット１０００のラッチ突起１０８０（図６を参照）は、ロッキングガイドパス１１００のロッキング溝１１２０に挿入されている。このとき、弾性部材１２００の他端１２６０は、弾性部材１２００の一端１２２０と同一の方向に配置される。それは、弾性部材１２００が圧縮された状態で、弾性部材１２００は撮影ユニット５００が第１位置に配置される際、圧縮された状態を維持する。
【００８９】
図８を参照すると、ユーザ撮影時、ユーザはディスプレイ装置１００（図２を参照）の外部に露出された撮影ユニット５００の撮影ユニットプッシュ面５６０を加圧する。ユーザが撮影ユニットプッシュ面５６０を加圧すると、ラッチユニット１０００（図７を参照）のラッチ突起１０８０（図６を参照）は、ロッキング溝１１２０の前方にスライディングされてロッキング溝１１２０から外れる。このとき、ラッチ突起１０８０は、第２段差部１１６６（図１１を参照）で第４ガイドパス１１７０（図１１を参照）の下部１１７２（図１１を参照）にスライディングする。それは、第２段差部１１６６の高さが第１段差部１１６２（図１１を参照）より低く、第４ガイドパス１１７０の下部１１７２より高いためである。結果として、ラッチ突起１０８０はロッキング溝１１２０から外れる場合、必然的に、第２段差部１１６６より高い第１段差部１１６２（図１１を参照）ではなく第２段差部１１６６より低い第４ガイドパス１１７０の下部１１７２にスライディングされざるを得ない。
【００９０】
一方、このとき、ラッチユニット１０００のラッチレバー１０４０（図６を参照）はヒンジピン１０６０（図６を参照）を中心に右側に移動し、ラッチ突起１０８０の第４ガイドパス１１７０の下部１１７２へのスライディングをガイドする。
【００９１】
その後、ユーザの撮影ユニットプッシュ面５６０への加圧が解除されると、弾性部材１２００は圧縮が解除されると同時に、スライダ８００にスライダ８００の正方向（Ａ側からＢ側方向）へのスライディングのための駆動力を提供する。それにより、スライダ８００は、スライドガイド溝７２０（図８を参照）に挿入されたスライディングリブ８２０（図８を参照）を介して正方向に円形軌跡Ｓ（図８を参照）に沿ってスライディングされ、スライダ８００に具備されたラッチユニット１０００も、第４ガイドパス１１７０（図１１を参照）を経て第１ガイドパス１１４０（図１１を参照）に沿って上方にスライディングされる。
【００９２】
それを通じて、撮影ユニット５００は、図４に示すように、第２位置（撮影ユニット５００がサブケーシング２６０の外に突出される位置）に配置されてよく、ユーザのジェスチャを検知することができる。
【００９３】
図９を参照すると、撮影ユニット５００が第２位置に配置される際、ラッチユニット１０００のラッチ突起１０８０（図６を参照）は、ロッキングガイドパス１１００の第１ガイドパス１１４０の上側に配置される。このとき、スライダ８００の弾性部材支持部８６０は、弾性部材１２００を中心に弾性部材固定部７８０の反対側に配置される。そのため、弾性部材１２００の他端１２６０は、弾性部材１２００の一端１２２０と反対方向に配置される。それを通じ、弾性部材１２００は圧縮が解除される。結果として、弾性部材１２００は、撮影ユニット５００が第２位置に配置される際、圧縮が解除された状態で維持される。
【００９４】
図１０を参照すると、非撮影時、ユーザはディスプレイ装置１００（図４を参照）の外部に露出された撮影ユニット５００の撮影ユニットプッシュ面５６０を持続的に加圧する。ユーザが撮影ユニットプッシュ面５６０を加圧すると、スライダ８００はスライドガイド溝７２０（図１０を参照）に挿入されたスライディングリブ８２０（図１０を参照）を通じて逆方向（Ｂ側からＡ側方向）（図９を参照）に円形軌跡Ｓ（図８を参照）に沿ってスライディングされる。
【００９５】
スライダ８００が逆方向にスライディングされる際、スライダ８００の弾性部材支持部８６０は撮影ユニットケーシング７００の弾性部材固定部７８０の近くに配置される。よって、弾性部材１２００の他端１２６０は圧縮され、弾性部材１２００の一端１２２０と同一の方向に配置される。結果として、弾性部材１２００はスライダ８００が逆方向にスライディングされる際に圧縮される。
【００９６】
なお、スライダ８００が逆方向にスライディングされる際、ラッチユニット１０００（図９を参照）のラッチ突起１０８０（図６を参照）は、第１ガイドパス１１４０から第２ガイドパス１１５０にスライディングする。ここで、ラッチ突起１０８０は、第４ガイドパス１１７０ではなく第２ガイドパス１１５０にのみスライディングする。ラッチ突起１０８０が第２ガイドパス１１５０にのみスライディングされる理由は次のとおりである。図１１を参照すると、第１ガイドパス１１４０は第２ガイドパス１１５０と高さが同一である。そして、第１ガイドパス１１４０は第４ガイドパス１１７０の上部１１７６より高さが低い。なお、第２ガイドパス１１５０と第４ガイドパス１１７０とが交わる地点Ｖは、第１ガイドパス１１４０の中心軸Ｃから右側に偏心されている。そのため、ラッチ突起１０８０は、第１ガイドパス１１４０から第４ガイドパス１１７０にスライディングできず、第２ガイドパス１１４０にのみスライディングされる。
【００９７】
その後、ラッチ突起１０８０は、第２ガイドパス１１４０から第３ガイドパス１１６０の第１段差部１１６２にスライディングされる。ユーザの撮影ユニットプッシュ面５６０の加圧によって、ラッチ突起１０８０は逆方向に続けて力を受けるため、第１段差部１１６２から第２段差部１１６６に動くことなく、第１段差部１１６２に固定配置される。
【００９８】
その後、ユーザが撮影ユニットプッシュ面５６０の加圧を解除すると、弾性部材１２００は圧縮が解除されつつ、スライダ８００にスライダ８００の正方向（Ａ側からＢ側方向）にスライディングするための駆動力を提供する。それにより、スライダ８００は正方向にスライディングされ、ラッチ突起１０８０は第１段差部１１６２で第１段差部１１６２より低い高さを有する第２段差部１１６６にスライディングされる。その後、ラッチ突起１０８０は、第２段差部１１６６のロッキング溝１１２０に挿入されてスライディングを止める。ラッチ突起１０８０がスライディングを止めると、スライダ８００もスライディングを止め、弾性部材１２００は圧縮状態を再び維持する。結果として、スライダ８００、ラッチユニット１０００及び弾性部材１２００は、図７に示すように配置される。
【００９９】
それを通じて、撮影ユニット５００は図２に示すように、第１位置（撮影ユニット５００がサブケーシング２６０の内部に収容される位置）に配置されてよく、撮影ユニットプッシュ面５６０のみをディスプレイ装置１００の外部に露出させてよい。
【０１００】
以下では、図１１を参照して、ロッキングガイドパス１１００のループ構造によるラッチ突起１０８０（図６を参照）の一方向へのスライディング経路について説明する。
【０１０１】
図１１を参照すると、上述のように、ラッチ突起１０８０は第１位置（撮影ユニット５００がサブケーシング２６０の内部に収容される位置；ｌ）で第３ガイドパス１１６０の第２段差部１１６６に配置され、第２位置（撮影ユニット５００がサブケーシング２６０の外に突出される位置；ｌ’）で第１ガイドパス１１４０の上部に配置される。
【０１０２】
ラッチ突起１０８０は、第１位置（ｌ）と第２位置（ｌ’）との間で一方向にスライディングされる。具体的に、ラッチ突起１１８０は、第１位置（ｌ）から第２位置（ｌ’）に移動する場合、矢印方向（Ｓ１ないしＳ６）に沿って第３ガイドパス１１６０の第２段差部１１６６、第４ガイドパス１１７０及び第１ガイドパス１１４０に沿って移動し、第２位置（ｌ’）から第１位置（ｌ）に移動する場合、矢印方向（Ｓ’１ないしＳ’６）に沿って第１ガイドパス１１４０、第２ガイドパス１１５０と、第３ガイドパス１１６０の第１段差部１１６２及び第３ガイドパス１１６０の第２段差部１１６６に沿って移動する。結果として、ラッチ突起１０８０のスライディングは、ループ構造を通じて一方向に構成される。
【０１０３】
以下では、本実施形態に係るディスプレイ装置１００におけるカメラのティルト調整について説明する。ティルトとは、カメラの位置は固定されてアングルのみを上方から下方に、または、下方から上方に撮影することをいう。本実施形態におけるディスプレイ装置１００は、外部に露出された撮影ユニット５００を直接動かしてカメラのティルトを調節することができる。
【０１０４】
図１２は、撮影ユニットが第３位置に配置されるときの様子を示す側断面図であり、図１３は、撮影ユニットが第３位置に配置されるときの様子を示す部分斜視図であり、図１４は、図１３の主要部の様子を示す断面図である。
【０１０５】
図１２を参照すると、ユーザのカメラティルト調節時、ユーザは撮影ユニット５００そのものをＹ軸方向を中心に上下にスライディングさせることができる。それにより、撮影ユニット５００は、第２位置（撮影ユニット５００がサブケーシング２６０の外に突出される位置）及び第３位置（第２位置より映像表示面２５０（図４を参照）により近く配置される位置）の間で移動することができる。
【０１０６】
撮影ユニット５００が第２位置及び第３位置の間で移動する際、スライダ８００のスライディングリブ８２０は撮影ユニットケーシング７００のスライドガイド溝７２０に沿って円形軌跡（Ｓ”）を描きつつスライディングする。
【０１０７】
撮影ユニット５００は、第２位置でカメラモジュール５２０の中心軸（ｏ）を基準とした際、第３位置でカメラモジュール５２０の中心軸（ｔ）の間の角度（θ）が２０℃になるまで移動することができる。
【０１０８】
本実施形態に係るディスプレイ装置１００は、カメラティルトを調節する際、撮影ユニット５００そのものをティルトさせるため、撮影ユニット５００内にティルト調節のための別途の構造や部品等が要求されない。よって、本実施形態に係るディスプレイ装置１００は、撮影ユニット５００の内部構造を単純化することができる。それを通じて、本実施形態に係るディスプレイ装置１００はカメラモジュール５２０の放熱のための撮影ユニット５００自体の体積を極大化することができる。
【０１０９】
図１３及び図１４を参照すると、ディスプレイ装置１００は弾性加圧部材１５００を更に含む。
【０１１０】
弾性加圧部材１５００は、第２位置及び第３位置の間でスライダ８００の一対のスライディングリブ８２０がスライディングする際、一対のスライディングリブ８２０を加圧するための構成要素である。そのため、弾性加圧部材１５００は、一対のスライディングリブ８２０に対応するように一対が備えられる。
【０１１１】
弾性加圧部材１５００の一端部１５２０は撮影ユニットケーシング７００に固定され、弾性加圧部材１５００の他端部１５６０は撮影ユニットケーシング７００に形成された弾性加圧部材貫通ホール７９０を通じてスライドガイド溝７２０に挿入されたスライディングリブ８２０に接触される。弾性加圧部材貫通ホール７９０は一対のスライディングリブ８２０に対応するように一対が具備される。
【０１１２】
図１４を参照すると、スライディングリブ８２０が第２位置及び第３位置の間でスライディングする際、弾性加圧部材１５００の他端部１５６０はスライディングリブ８２０によって矢印方向（ｆ）に押される。その後、弾性加圧部材１５００はスライディングリブ８２０を持続的に加圧する。同様に、不図示の他の１つの弾性加圧部材も他の１つのスライディングリブを持続的に加圧する。それを通じて、一対のスライディングリブ８２０は、第２位置及び第３位置の間ですべることなくスライディングすることができる。
【０１１３】
一方、一対のスライディングリブ８２０が第２位置及び第３位置の間でスライディングする際、弾性部材１２００（図６を参照）の他端１２６０は弾性部材支持部８６０（図６を参照）から離脱される。それにより、スライダ８００は、第２位置及び第３位置の間で移動する際、弾性部材１２００から駆動力の提供を受けない。結果として、撮影ユニット５００の第２位置及び第３位置の間における移動は、ユーザの撮影ユニット５００そのものの操作を通じて行われる。
【０１１４】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１１５】
１００  ディスプレイ装置、２００  ディスプレイ本体、２５０  映像表示面、５００  撮影ユニット、５２０  カメラモジュール、７００  撮影ユニットケーシング、７２０  スライドガイド溝、８００  スライダ、８２０  スライディングリブ、９００  ロッキングユニット、１０００  ラッチユニット、１０２０  ラッチ本体、１０４０  ラッチレバー、１０８０  ラッチ突起、１１００  ロッキングガイドパス、１１２０  ロッキング溝、１１４０  第１ガイドパス、１１５０  第２ガイドパス、１１６０  第３ガイドパス、１１７０  第４ガイドパス、１１６２  第１段差部、１１６６  第２段差部、１２００  弾性部材、１３００  ダンピング部材、１５００  弾性加圧部材
【図１】
2014165917.tif 000003
【図２】
2014165917.tif 000004
【図３】
2014165917.tif 000005
【図４】
2014165917.tif 000006
【図５】
2014165917.tif 000007
【図６】
2014165917.tif 000008
【図７】
2014165917.tif 000009
【図８】
2014165917.tif 000010
【図９】
2014165917.tif 000011
【図１０】
2014165917.tif 000012
【図１１】
2014165917.tif 000013
【図１２】
2014165917.tif 000014
【図１３】
2014165917.tif 000015
【図１４】
2014165917.tif 000016